(57)【要約】      （修正有）【課題】防水シート上の汚れ等を洗浄しやすい電子機器を提供する。【解決手段】電子機器１は、気圧センサ５４と、マイク５２と、気圧センサ及びマイクを覆う防水シート５６と、防水シートを保護する着脱可能なフロントパネル４０とを備える。フロントパネルが取り外されることによって、フロントパネルで覆われている部分を容易に洗浄できる。【選択図】図２
2018148459.tif 000002
【特許請求の範囲】
【請求項１】
気圧センサと、
マイクと、
前記気圧センサ及び前記マイクを覆う防水シートと、
前記防水シートを保護する着脱可能なフロントパネルと
を備える電子機器。
【請求項２】
第１面の側に設けられるディスプレイと、
前記ディスプレイを囲い、前記第１面の側に突出するリブと
をさらに備え、
前記フロントパネルは、前記第１面の側に設けられ、前記第１面の側に前記リブより大きく突出する凸部を有する、請求項１に記載の電子機器。
【請求項３】
前記凸部は、前記気圧センサ及び前記マイクの近傍に設けられる、請求項２に記載の電子機器。
【請求項４】
前記第１面は、長手方向と短手方向とを有し、
前記凸部は、前記長手方向に沿う線について線対称に設けられる、請求項２又は３に記載の電子機器。
【請求項５】
前記フロントパネルによって保護されるスピーカをさらに備える、請求項１乃至４のいずれか一項に記載の電子機器。
【発明の詳細な説明】
【技術分野】
【０００１】
本開示は、電子機器に関する。
【背景技術】
【０００２】
従来、防水シートを備える電子機器がある（例えば、特許文献１参照）。
【先行技術文献】
【特許文献】
【０００３】
【特許文献１】特開２０１４−１３２７０２号公報
【発明の概要】
【発明が解決しようとする課題】
【０００４】
防水シートの耐衝撃性が低い場合、電子機器の筐体は、防水シートを保護するように構成されることがある。防水シートが筐体で保護される場合、防水シートが洗浄されにくいことがある。
【０００５】
本開示は、防水シート上の汚れ等を洗浄しやすい電子機器を提供することを目的とする。
【課題を解決するための手段】
【０００６】
本開示の一実施形態に係る電子機器は、気圧センサと、マイクとを備える。前記電子機器は、前記気圧センサ及び前記マイクを覆う防水シートを備える。前記電子機器は、前記防水シートを保護する着脱可能なフロントパネルを備える。
【発明の効果】
【０００７】
本開示の一実施形態に係る電子機器によれば、防水シート上の汚れ等が洗浄されやすくなる。
【図面の簡単な説明】
【０００８】
【図１】一実施形態に係る電子機器の前面の構成例を示す図である。
【図２】フロントパネルで覆われる部分の構成例を示す図である。
【図３】図２のＡ−Ａ断面図である。
【図４】図１の電子機器が前面を伏せて置かれた例をＹ軸方向に沿う断面で見た図である。
【図５】比較例に係る電子機器が前面を伏せて置かれた例をＹ軸方向に沿う断面で見た図である。
【発明を実施するための形態】
【０００９】
本実施形態に係る電子機器は、携帯電話、又はスマートフォン等の携帯電子機器であってよい。本実施形態に係る電子機器は、携帯電子機器に限定されるものではない。電子機器は、デスクトップＰＣ（Personal Computer）、ノートＰＣ、タブレット型ＰＣ、家電製品、産業用機器若しくはＦＡ（Factory Automation）機器、又は専用端末等の種々の電子機器であってよい。
【００１０】
例えば特許文献１に記載される電子機器は、特許文献１の段落〔００２２〕に記載されているように、導音孔から本体内部への水の浸入を阻止する防水シートを有する。特許文献１に記載される電子機器において、防水シートは、特許文献１の図４に示されるように、通常取り外されない操作キーユニットによって覆われている。特許文献１に記載される電子機器は、導音孔によってスピーカの音の出力を確保するとともに、防水シートによってスピーカが設けられる内部に水が浸入しにくいように構成される。一方で、本実施形態に係る電子機器は、防水シート５６（図２参照）で覆われる部分に対して着脱可能なフロントパネル４０（図１参照）を備える。着脱可能なフロントパネル４０が備えられることによって、防水シート５６に異物等が付着した場合でも、防水シート５６の洗浄が容易に行われうるとともに、防水シート５６の乾燥が容易に行われうる。
【００１１】
図１に示されるように、一実施形態に係る電子機器１は、筐体１０を備える。筐体１０は、例えば、金属又は樹脂等の材料で構成されてよい。筐体１０は、金属又は樹脂等の材料を複合した材料で構成されてよい。筐体１０は、他の種々の材料で構成されてよい。
【００１２】
本実施形態において、筐体１０は、Ｚ軸の正の方向に向く面と、Ｚ軸の負の方向に向く面とを有するものとする。筐体１０のＺ軸の正の方向に向く面は、第１面ともいう。第１面は、前面ともいう。Ｚ軸の正の方向の側は、第１面の側ともいう。筐体１０のＺ軸の負の方向に向く面は、第２面ともいう。第２面は、背面ともいう。Ｚ軸の負の方向の側は、第２面の側ともいう。筐体１０は、第１面及び第２面に限られず、他の方向に向く面を有してよい。筐体１０の各面は、平面に限られず、湾曲形状等を有する曲面であってよい。筐体１０の各面は、互いに交差するように接続してよい。筐体１０の各面は、互いになめらかに接続してよい。
【００１３】
筐体１０の第１面は、Ｙ軸方向に沿う辺がＸ軸方向に沿う辺より長い略矩形であるものとする。筐体１０の長手方向及び短手方向はそれぞれ、Ｙ軸方向及びＸ軸方向に対応するものとする。第１面の形状は、略矩形に限られず、他の形状であってよい。
【００１４】
図１に示されるように、電子機器１は、筐体１０の第１面の側に、表示部２０と、タッチパネル３０と、フロントパネル４０とを備える。筐体１０は、第１面を囲うリブ１１を有する。タッチパネル３０は、リブ１１の内側に配置される。表示部２０は、タッチパネル３０の第２面の側に接合される。表示部２０は、接着剤又は硬化樹脂等によってタッチパネル３０に接合されてよい。またはスポンジ等の弾性復帰力により、タッチパネル３０に押圧されることによって、表示部２０はタッチパネル３０の近傍に保持されてよい。
【００１５】
図１において、タッチパネル３０は、筐体１０のＹ軸の正の方向の側に位置する。フロントパネル４０は、筐体１０のＹ軸の負の方向の側に位置する。タッチパネル３０とフロントパネル４０との位置関係は、図１の例に限られない。タッチパネル３０とフロントパネル４０とは、それぞれ種々の位置に配置されてよい。
【００１６】
図１において、フロントパネル４０は、タッチパネル３０のＹ軸の負の方向の側の端部を覆ってよい。言い換えれば、フロントパネル４０は、タッチパネル３０の一部を覆ってよい。フロントパネル４０がタッチパネル３０を覆う場合、タッチパネル３０が保護されうる。
【００１７】
フロントパネル４０は、凸部４１と、傾斜部４２と、カバー部４３と、取付部４４とを有する。フロントパネル４０は、取付部４４で筐体１０に取り付けられる。取付部４４は、取付部材４８によって筐体１０に取り付けられる。フロントパネル４０は、筐体１０に対して着脱可能に構成される。取付部材４８は、ねじ等で構成されてよい。取付部材４８は、フロントパネル４０を着脱可能とする他の部材で構成されてよい。
【００１８】
凸部４１は、リブ１１よりもＺ軸の正の方向に突出する。傾斜部４２は、凸部４１における、フロントパネル４０のＺ軸方向の厚みと比較して、Ｙ軸の正の方向に向けて、フロントパネル４０のＺ軸方向の厚みが小さくなる部分である。
【００１９】
カバー部４３は、フロントパネル４０で覆われる筐体１０の内部と筐体１０の外部との間を空気が移動できる通路となる。カバー部４３は、空気が通過できる孔を有するメッシュシートで構成されてよい。カバー部４３は、パンチング加工によって形成される孔を有する部材で構成されてよい。フロントパネル４０は、筐体１０の内部に配置される構成部を保護する。カバー部４３は、筐体１０の外部と内部との間の空気の通路となりつつ、筐体１０の内部に配置される構成部を保護するように構成される。
【００２０】
図２に示されるように、筐体１０は、リブ１１と、支持部１２と、背面部１４とを備える。リブ１１は、筐体１０の第１面を囲うように設けられる。背面部１４は、第１面の反対の面に設けられる。支持部１２は、タッチパネル３０のＹ軸の負の方向の端部に設けられる。タッチパネル３０は、リブ１１と、支持部１２に支持される。タッチパネル３０は、リブ１１と、支持部１２とに接着剤等によって接合されてよい。
【００２１】
電子機器１は、フロントパネル４０で覆われる部分に、スピーカ５０と、マイク５２と、気圧センサ５４とを備える。スピーカ５０は、所定の防水性能を有する。マイク５２及び気圧センサ５４は、所定の防水性能を有する防水シート５６によって覆われる。防水シート５６は、空気を通過させる。防水シート５６が空気を通過させることによって、防水シート５６を通過する音の大きさが減衰しにくいとともに、防水シート５６を介して気圧センサ５４で測定される気圧の精度が向上されうる。
【００２２】
本実施形態において、所定の防水性能は、電子機器１が水没した状態でも使用できる水圧の大きさによって規定されるものとする。所定の防水性能は、電子機器１が水没した状態でも使用できる時間によって規定されてもよい。フロントパネル４０は、スピーカ５０と、マイク５２と、気圧センサ５４とを保護する。カバー部４３は、筐体１０の外部と内部との間で空気を通過させつつ、スピーカ５０と、マイク５２と、気圧センサ５４とを保護する。カバー部４３は、防水シート５６に人体又は物体等が直接接触しにくくする。結果として、防水シート５６の防水性能が保たれやすくなる。
【００２３】
図３に示されるように、筐体１０は、リブ１１と、Ｚ軸の負の方向の側に設けられる支持部１２と、背面部１４とを備える。電子機器１は、リブ１１と、背面部１４と、タッチパネル３０とで囲まれた領域に、内部構造物６０を備える。
【００２４】
内部構造物６０は、例えば、バッテリであってよいし、電子機器１の各構成部を制御する制御部として機能するプロセッサ又は電子回路等を含む基板であってよい。筐体１０は、内部構造物６０が位置する領域に水が浸入しないように所定の防水性能を有する。筐体１０が所定の防水性能を有することによって、バッテリ又は基板等に水が付着することによって故障するリスクが低減されうる。
【００２５】
電子機器１の制御部は、例えばプロセッサとして構成される。制御部は、１以上のプロセッサを含んでよい。プロセッサは、特定のプログラムを読み込ませて特定の機能を実行する汎用のプロセッサ、及び特定の処理に特化した専用のプロセッサを含んでよい。専用のプロセッサは、特定用途向けＩＣ（Integrated Circuit）を含んでよい。特定用途向けＩＣは、ＡＳＩＣ（Application Specific Integrated Circuit）ともいう。プロセッサは、プログラマブルロジックデバイスを含んでよい。プログラマブルロジックデバイスは、ＰＬＤ（Programmable Logic Device）ともいう。ＰＬＤは、ＦＰＧＡ（Field-Programmable Gate Array）を含んでよい。制御部は、１つ又は複数のプロセッサが協働するＳｏＣ（System-on-a-Chip）、及びＳｉＰ（System In a Package）のいずれかであってよい。
【００２６】
内部構造物６０がフロントパネル４０から見てＺ軸の負の方向の側に位置する場合、傾斜部４２が、凸部４１よりＺ軸の負の方向に位置することによって、傾斜部４２は外部の物体と衝突しにくく、内部構造物６０に対して衝撃が加わる頻度が低減されうる。
【００２７】
表示部２０は、電子機器１の制御部等から取得した情報に基づき、文字、画像、操作用オブジェクト、ポインタ等を表示する。表示部２０は、例えば、液晶ディスプレイ、有機ＥＬ（Electroluminescence）ディスプレイ、無機ＥＬディスプレイ等の表示デバイスであってよいが、これらに限られない。
【００２８】
タッチパネル３０は、タッチセンサを備えるパネルであってよい。タッチパネル３０は、ガラス又は樹脂等で構成されてよい。タッチパネル３０は、ユーザによるタッチを入力として検出しうる。表示部２０とタッチパネル３０とが接合された構成は、タッチパネルディスプレイともいう。
【００２９】
図３に示されるように、電子機器１は、フロントパネル４０で覆われた領域に、スピーカ５０と、マイク５２と、気圧センサ５４と、防水シート５６とを備える。フロントパネル４０は、スピーカ５０と、マイク５２と、気圧センサ５４と、防水シート５６とに対する衝撃を緩和しうる。防水シート５６は、マイク５２と、気圧センサ５４とを覆う。フロントパネル４０のカバー部４３と、スピーカ５０又は防水シート５６との間には、空隙５８が存在しうる。
【００３０】
図３において、２個のスピーカ５０の間に、防水シート５６で覆われたマイク５２と気圧センサ５４とが位置する。スピーカ５０と、マイク５２と、気圧センサ５４との位置関係は、図３の例に限られない。スピーカ５０と、マイク５２と、気圧センサ５４とは、種々の態様で配置されてよい。
【００３１】
スピーカ５０は、電子機器１の制御部等から取得した情報に基づき、音を発出する。スピーカ５０は、電子機器１において音楽又は映像等のコンテンツを再生する場合に、コンテンツに含まれる音を発出してよい。スピーカ５０は、電子機器１において、音声通信を行う場合に、呼び出し音又は相手方の音声等を発出してよい。スピーカ５０は、電子機器１がスピーカフォンとして動作する場合に、相手方の音声を大きい音量で出力してよい。スピーカ５０は、これらの例に限られず、種々の音を発出してよい。
【００３２】
スピーカ５０は、カバー部４３を通じて筐体１０の外部と音響的に接続される。つまり、スピーカ５０と筐体１０の外部との間には、カバー部４３を通じて音の伝達経路が確保される。スピーカ５０から発出された音は、フロントパネル４０のカバー部４３を通じて、筐体１０の外部に出力される。
【００３３】
マイク５２は、入力される音を取得する。マイク５２は、入力される音に基づく情報を生成し、電子機器１の制御部等に出力する。マイク５２は、電子機器１において録音又は録画等をする場合に、音を取得してよい。マイク５２は、電子機器１において、音声通信を行う場合に、相手方に送信する音声を取得してよい。マイク５２は、これらの例に限られず、種々の音を取得してよい。
【００３４】
マイク５２は、カバー部４３と防水シート５６とを通じて筐体１０の外部と音響的に接続される。つまり、マイク５２と筐体１０の外部との間には、カバー部４３と防水シート５６とを通じて音の伝達経路が確保される。筐体１０の外部からの音は、フロントパネル４０のカバー部４３と防水シート５６とを通じてマイク５２に入力される。
【００３５】
気圧センサ５４は、カバー部４３と防水シート５６とを通じて、筐体１０の外部とつながることによって、筐体１０の外部の気圧を測定する。気圧センサ５４は、筐体１０の外部の気圧に係る情報を電子機器１の制御部等に出力する。
【００３６】
図２及び図３において、スピーカ５０及びマイク５２は、筐体１０のＹ軸の負の方向の側に配置される。スピーカ５０及びマイク５２は、筐体１０のＹ軸の正の方向の側にさらに配置されてよい。電子機器１が音声通信を実行する場合、筐体１０のＹ軸の正の方向の側に配置されるスピーカ５０が、レシーバとして機能してよい。電子機器１がスピーカフォンとして動作する場合、筐体１０のＹ軸の正の方向の側に配置されるマイク５２が、相手方に送信する音声を取得してよい。
【００３７】
（洗浄の容易性）
本実施形態に係る電子機器１は、筐体１０の内部への水又は異物の進入を防ぐ構造を有する。電子機器１は、空気の通路となるカバー部４３を有する。水又は異物は、カバー部４３から筐体１０の内部に進入しうる。電子機器１は、水又は異物が進入しうるカバー部４３で覆われる領域に、所定の防水性能を有するスピーカ５０と防水シート５６とを備える。水が進入しうる領域に配置される構成部が所定の防水性能を有することによって、電子機器１全体としての防水性能が向上されうる。
【００３８】
防水シート５６は、所定の防水性能を有しつつ、空気を通過させるように構成される。防水シート５６の表面が水で濡れた場合、防水シート５６は、空気を通過させにくくなる。言い換えれば、防水シート５６の表面が水で濡れることによって、防水シート５６の通気性が悪くなる。防水シート５６の通気性が悪い場合、筐体１０の外部からの音は、防水シート５６で覆われるマイク５２に入力されにくくなる。防水シート５６の通気性が悪い場合、防水シート５６で覆われる気圧センサ５４によって測定される筐体１０の外部の気圧の精度が低下しうる。
【００３９】
防水シート５６の表面が水で濡れた場合、防水シート５６の表面を乾燥させることによって、防水シート５６の通気性が回復しうる。フロントパネル４０が取り外されることによって、防水シート５６の表面が乾燥されやすくなる。
【００４０】
図３に示されるように、カバー部４３とスピーカ５０又は防水シート５６との間に空隙５８が存在する場合、カバー部４３から筐体１０の内部に進入した異物は、空隙５８に残留しうる。カバー部４３から筐体１０の内部に海水等の塩分を含む水が浸入した場合、塩分が空隙５８において結晶として析出しうる。析出した塩分は、空隙５８に残留した異物となりうる。異物は、空隙５８の存在にかかわらず、カバー部４３が有する空気の通路に残留したり、析出したりしうる。
【００４１】
空隙５８に残留した異物は、スピーカ５０から発出される音に影響を及ぼしうる。例えば、空隙５８に残留した異物は、スピーカ５０からの音の大きさを減少させたり、音の質を変化させたりしうる。空隙５８に残留した異物は、マイク５２に入力される音に影響を及ぼしうる。例えば、空隙５８に残留した異物は、マイク５２に入力される音の大きさを減少させたり、音の質を変化させたりする。空隙５８に残留した異物は、気圧センサ５４で測定される気圧に影響を及ぼしうる。空隙５８に残留した異物は、防水シート５６を傷つけうる。防水シート５６が傷つけられた場合、防水シート５６の防水性能が低下する。つまり、空隙５８に残留した異物は、防水シート５６の防水性能を低下させうる。
【００４２】
フロントパネル４０を取り外さずに電子機器１が洗浄される場合、洗剤を含む水が筐体１０の内部に浸入しうる。カバー部４３から筐体１０の内部に洗剤を含む水が浸入した場合、洗剤の成分が空隙５８に残留しうる。洗剤の成分が空隙５８に残留することによって、防水シート５６の防水性能が低下しうる。
【００４３】
空隙５８に異物が残留した場合、洗浄などによって異物を除去することによって、スピーカ５０、マイク５２、及び気圧センサ５４に及ぼされる影響が低減されうる。フロントパネル４０が取り外されることによって、空隙５８に残留した異物が除去されやすくなる。
【００４４】
本実施形態に係る電子機器１は、着脱可能なフロントパネル４０を備える。フロントパネル４０が取り外されることによって、フロントパネル４０で覆われている部分が容易に洗浄されうる。結果として、防水シート５６の防水性能が保たれやすくなる。
【００４５】
カバー部４３と防水シート５６との間の空隙５８が存在しないように構成されてよい。この場合、カバー部４３が防水シート５６に接触するように設けられてよい。カバー部４３が防水シート５６に接触することによって、防水シート５６が押さえつけられてよい。結果として、防水シート５６が剥がれにくくなりうる。
【００４６】
（音の経路の確保）
本実施形態に係る電子機器１は、筐体１０の第１面の周囲にリブ１１を有する。リブ１１は、タッチパネル３０よりもＺ軸の正の方向に突出する。リブ１１がＺ軸の正の方向に突出することによって、タッチパネル３０に対するＺ軸方向の衝撃が緩和されうる。リブ１１は、筐体１０の第１面の周囲の各部において均一な高さで突出してよい。リブ１１が均一な高さで突出することによって、タッチパネル３０に対する衝撃がより大きく緩和されうる。
【００４７】
リブ１１が均一な高さで突出する場合において、電子機器１が第１面を床面又は机上面等の面に向けて伏せるように置かれた場合、リブ１１は、電子機器１が置かれた面に対して第１面の全周にわたって接触しうる。本実施形態に係る電子機器１は、図３に示されるように、Ｚ軸方向の正の方向にリブ１１よりも大きく突出するフロントパネル４０の凸部４１を備える。
【００４８】
図４に示されるように、電子機器１が第１面を伏せるようにして載置面８０に置かれた場合、凸部４１がリブ１１よりも大きく突出することによって、リブ１１の一部が載置面８０から離れる。リブ１１の一部が載置面８０から離れることによって、筐体１０の外部と、スピーカ５０又はマイク５２との間の音の伝達経路が確保されうる。
【００４９】
図５に示される比較例に係る電子機器２は、リブ１１が凸部４１よりもＺ軸の正の方向に突出するものとする。比較例に係る電子機器２が第１面を伏せるようにして載置面８０に置かれた場合、リブ１１は、載置面８０に対して第１面の全周にわたって接触する。リブ１１の全周が載置面８０に接触することによって、筐体１０の外部と、スピーカ５０又はマイク５２との間の音の伝達経路が確保されにくくなる。つまり、リブ１１が第１面の全周にわたって面に接触する場合、スピーカ５０から発出される音が筐体１０の外部に出力されにくいとともに、筐体１０の外部からの音がマイク５２に入力されにくくなる。
【００５０】
本実施形態に係る電子機器１は、フロントパネル４０の凸部４１がリブ１１よりも大きく突出する。凸部４１が突出する場合、凸部４１が突出していない場合より、電子機器１が伏せて置かれたときに、スピーカ５０又はマイク５２との間の音の伝達経路が確保されやすくなる。結果として、スピーカ５０から発出される音が筐体１０の外部に出力されやすくなるとともに、筐体１０の外部からの音がマイク５２に入力されやすくなる。
【００５１】
フロントパネル４０の凸部４１は、筐体１０の第１面の長手方向に沿う線について線対称に構成されてよい。載置面８０に伏せて置かれた電子機器１は、Ｙ軸の正の方向の側に位置するリブ１１とＹ軸の負の方向の側に位置する凸部４１とによって支持される。凸部４１が第１面の長手方向に沿う線について線対称に構成される場合、Ｙ軸の正の方向の側に位置するリブ１１の少なくとも一部と、凸部４１の少なくとも２点とが載置面８０に接触する。結果として、載置面８０に伏せて置かれた電子機器１の姿勢が安定しうる。Ｙ軸の正の方向の側に位置するリブ１１は、筐体１０の第１面の長手方向に沿う線について線対称に載置面８０に接触するように構成されてよい。
【００５２】
フロントパネル４０の凸部４１は、スピーカ５０又はマイク５２の近傍に設けられてよい。凸部４１が、スピーカ５０又はマイク５２の近傍に設けられることによって、筐体１０の外部とスピーカ５０又はマイク５２との間の音の伝達経路が確保されやすくなる。結果として、スピーカ５０から発出される音が筐体１０の外部に出力されやすくなるとともに、筐体１０の外部からの音がマイク５２に入力されやすくなる。
【００５３】
フロントパネル４０の凸部４１は、気圧センサ５４の近傍に設けられてよい。凸部４１が気圧センサ５４の近傍に設けられることによって、筐体１０の外部と気圧センサ５４との間の空気の通路が確保されやすくなる。結果として、気圧センサ５４で測定される筐体１０の外部の気圧の精度が向上されうる。
【００５４】
本開示に係る実施形態について、諸図面及び実施例に基づき説明してきたが、当業者であれば本開示に基づき種々の変形又は修正を行うことが容易であることに注意されたい。従って、これらの変形又は修正は本開示の範囲に含まれることに留意されたい。例えば、各構成部又は各ステップなどに含まれる機能などは論理的に矛盾しないように再配置可能であり、複数の構成部又はステップなどを１つに組み合わせたり、或いは分割したりすることが可能である。本開示に係る実施形態について装置を中心に説明してきたが、本開示に係る実施形態は装置の各構成部が実行するステップを含む方法としても実現し得るものである。本開示に係る実施形態は装置が備えるプロセッサにより実行される方法、プログラム、又はプログラムを記録した記憶媒体としても実現し得るものである。本開示の範囲にはこれらも包含されるものと理解されたい。
【００５５】
本開示において「第１」及び「第２」等の記載は、当該構成を区別するための識別子である。本開示における「第１」及び「第２」等の記載で区別された構成は、当該構成における番号を交換することができる。例えば、第１面は、第２面と識別子である「第１」と「第２」とを交換することができる。識別子の交換は同時に行われる。識別子の交換後も当該構成は区別される。識別子は削除してよい。識別子を削除した構成は、符号で区別される。本開示における「第１」及び「第２」等の識別子の記載のみに基づいて、当該構成の順序の解釈、小さい番号の識別子が存在することの根拠に利用してはならない。
【符号の説明】
【００５６】
１  電子機器
１０  筐体
１１  リブ
１２  支持部
１４  背面部
２０  表示部
３０  タッチパネル
４０  フロントパネル
４１  凸部
４２  傾斜部
４３  カバー部
４４  取付部
４８  取付部材
５０  スピーカ
５２  マイク
５４  気圧センサ
５６  防水シート
５８  空隙
６０  内部構造物
８０  載置面
【図１】
2018148459.tif 000003
【図２】
2018148459.tif 000004
【図３】
2018148459.tif 000005
【図４】
2018148459.tif 000006
【図５】
2018148459.tif 000007
【手続補正書】
【提出日】平成29年4月19日(2017.4.19)
【手続補正１】
【補正対象書類名】特許請求の範囲
【補正対象項目名】全文
【補正方法】変更
【補正の内容】
【特許請求の範囲】
【請求項１】
気圧センサと、
マイクと、
前記気圧センサ及び前記マイクを覆う防水シートと、
前記防水シートを保護する着脱可能なフロントパネルと、
第１面の側に設けられるディスプレイと、
前記ディスプレイを囲い、前記第１面の側に突出するリブと
を備え、
前記フロントパネルは、前記第１面の側に設けられ、前記第１面の側に前記リブより大きく突出する凸部を有する、電子機器。
【請求項２】
前記凸部は、前記気圧センサ及び前記マイクの近傍に設けられる、請求項１に記載の電子機器。
【請求項３】
前記第１面は、長手方向と短手方向とを有し、
前記凸部は、前記長手方向に沿う線について線対称に設けられる、請求項１又は２に記載の電子機器。
【請求項４】
前記フロントパネルによって保護されるスピーカをさらに備える、請求項１乃至３のいずれか一項に記載の電子機器。
【手続補正２】
【補正対象書類名】明細書
【補正対象項目名】０００６
【補正方法】変更
【補正の内容】
【０００６】
本開示の一実施形態に係る電子機器は、気圧センサと、マイクとを備える。前記電子機器は、前記気圧センサ及び前記マイクを覆う防水シートを備える。前記電子機器は、前記防水シートを保護する着脱可能なフロントパネルを備える。前記電子機器は、第１面の側に設けられるディスプレイを備える。前記電子機器は、前記ディスプレイを囲い、前記第１面の側に突出するリブを備える。前記フロントパネルは、前記第１面の側に設けられ、前記第１面の側に前記リブより大きく突出する凸部を有する。